(57)【要約】【課題】バイアル瓶内の薬剤を抽出する装置においてバイアル瓶をその高さ方向の寸法形状に依らず適正な位置にセットできる弾性アダプタを提供する。【解決手段】底部３３と側壁部３２１とを有する収容部３２と、底部３３に当接し、底部３３が有する上面３３ｂと交差する方向に加わる力によって弾性的に圧縮されて、かつ力の解除によって回復する底弾性体３３２と、側壁部３２１の周回方向に形成されて、収容部の径方向に弾性的に変形及び復元可能な周弾性体３１と、によって弾性アダプタを構成する。【選択図】図８
2020141722.tif 000002
【特許請求の範囲】
【請求項１】
底部と側壁部とを有する収容部と、
前記底部に当接し、前記底部が有する上面と交差する方向に加わる力によって弾性的に圧縮されて、かつ前記力の解除によって回復する底弾性体と、
前記側壁部の周回方向に形成されて、前記収容部の径方向に弾性的に変形及び復元可能な周弾性体と、
を含む、弾性アダプタ。
【請求項２】
前記周弾性体は、枠体と、前記枠体の内面から突出し、前記内面に対して略均一の角度をなすように変位する複数の弾性片を含む、請求項１に記載の弾性アダプタ。
【請求項３】
複数の前記弾性片は、全てが前記内面の一方の側に傾いている、請求項２に記載の弾性アダプタ。
【請求項４】
前記底弾性体を前記側壁部の立設方向に移動させる上下動部をさらに備える、請求項１から３のいずれか一項に記載の弾性アダプタ。
【請求項５】
前記底部は前記底弾性体が取り付けられる基台であって、
前記基台は、前記側壁部に形成された壁側ネジ溝と互いに螺合する台側ネジ溝を有し、前記壁側ネジ溝に前記台側ネジ溝を螺合させながら回転することによって前記側壁部の立設方向に移動する、請求項１から４のいずれか一項に記載の弾性アダプタ。
【請求項６】
前記底部は、前記底弾性体が取り付けられている側とは反対の側に、前記底部を回転させるための摘み部を備える、請求項１から５のいずれか一項に記載の弾性アダプタ。
【請求項７】
請求項１から６のいずれか一項に記載の弾性アダプタがセットされる薬剤の抽出装置であって、
前記弾性アダプタが収容される収容部と、
前記弾性アダプタと共に前記収容部に収容されたバイアル瓶に対して上方から下方に向かう力を加え、前記バイアル瓶を前記収容部内に固定する押え部と、
を備える薬剤の抽出装置。
【発明の詳細な説明】
【技術分野】
【０００１】
本発明は、弾性アダプタ及び抽出装置に関する。
【背景技術】
【０００２】
投薬や実験等に使用される薬剤の多くは、バイアル瓶に収容されて流通されている。このような薬剤入りのバイアル瓶は、収容されている薬剤を混合、分注、投与等する専用の装置にセットされて使用される場合がある。特許文献１には、放射性薬剤が収容されたバイアル瓶をセットして使用される放射性薬剤自動投与装置が記載されている。特許文献１に記載の放射性薬剤自動投与装置は、セットされたバイアル瓶の蓋に合わせて自動的に抽出針を下降させ、蓋に穿刺することができる。
放射性薬剤入りのバイアル瓶は、放射線を遮蔽するための遮蔽容器に収容されて流通する。遮蔽容器は、バイアル瓶の大きさ及び形状に合わせた収容空間を有し、また、全体の大きさ及び形状を一定にすることができる。このため、放射性薬剤の自動投与装置においては、バイアル瓶がセットされる部分を遮蔽容器に対応した一定の形状にし、バイアル瓶の大きさに依らず抽出針を一定の位置及び高さに下降させることができる。
【０００３】
一方、非放射性薬剤は、放射線の遮蔽容器に収容されずに流通する。また、バイアル瓶は、薬剤の種類やメーカー及び容量によって大きさや縦横比等の形状が相違する。このため、自動制御で穿刺を行う装置を非放射性の薬剤に適用するときには、大きさ等の異なるバイアル瓶を抽出針の下降位置に合わせて一定の位置に固定することが必要になる。このような場合、バイアル瓶の大きさ等に合わせてバイアル瓶を装置の適正な位置に固定するアダプタを利用することが考えられる。バイアル瓶のアダプタは、例えば、特許文献２及び特許文献３に記載されている。
【先行技術文献】
【特許文献】
【０００４】
【特許文献１】特開２００８−２５３３５６号公報
【特許文献２】特開２０１８−３８５９２号公報
【特許文献３】特表２００５−５３６７９８号公報
【発明の概要】
【発明が解決しようとする課題】
【０００５】
しかしながら、特許文献２、特許文献３に記載のアダプタは、いずれも径方向の大きさが異なるバイアル瓶に対応するものである。バイアル瓶には様々な高さのものがあり、特許文献２、特許文献３に記載のバイアル瓶のアダプタは、高さの異なるバイアルを適正な位置に固定することはできない。
本発明は、このような点に鑑みてなされたものであり、バイアル瓶内の薬剤を抽出する装置においてバイアル瓶をその高さ方向の寸法形状に依らず適正な位置にセットできる弾性アダプタ及び弾性アダプタが適用される抽出装置に関する。
【課題を解決するための手段】
【０００６】
本発明の弾性アダプタは、底部と側壁部とを有する収容部と、前記底部に当接し、前記底部が有する上面と交差する方向に加わる力によって弾性的に圧縮されて、かつ前記力の解除によって回復する底弾性体と、前記側壁部の周回方向に形成されて、前記収容部の径方向に弾性的に拡大及び縮小可能な周弾性体と、を含む。
【０００７】
また、本発明の抽出装置は、上記弾性アダプタがセットされる薬剤の抽出装置であって、前記弾性アダプタが収容される収容部と、前記弾性アダプタと共に前記収容部に収容されたバイアル瓶に対して上方から下方に向かう力を加え、前記バイアル瓶を前記収容部内に固定する押え部と、を備える。
【発明の効果】
【０００８】
本発明は、バイアル瓶内の薬剤を抽出する装置においてバイアル瓶をその高さ方向の寸法形状に依らず適正な位置にセットできる弾性アダプタ及び弾性アダプタが適用される抽出装置を提供することができる。
【図面の簡単な説明】
【０００９】
【図１】本発明の一実施形態の抽出装置の全体を示す斜視図である。
【図２】（ａ）、（ｂ）は、いずれも図１に示す抽出装置のバイアル瓶保持部を拡大して示す図である。
【図３】図１に示す弾性アダプタの斜視図である。
【図４】図３に示す弾性アダプタの分解斜視図である。
【図５】図３に示す弾性アダプタの正面図である。
【図６】図３に示す弾性アダプタの上面図である。
【図７】図３に示す弾性アダプタの底面図である。
【図８】図６に示す線分VIII-VIIIで弾性アダプタを切断し、この断面を矢線の方向から見た縦断面図である。
【図９】（ａ）から（ｌ）は、図４等に示す周弾性体の動作を説明するための図である。
【発明を実施するための形態】
【００１０】
以下、本発明の一実施形態を図面に基づいて説明する。なお、すべての図面において、同様の構成要素には同様の符号を付し、重複する説明は適宜省略する。また、本実施形態の図面は、本発明の技術思想を説明するためのものであり、その幅、高さ、奥行き等の寸法やその対比等を限定するものではない。
【００１１】
［抽出装置］
図１及び図２（ａ）、図２（ｂ）は、本実施形態の抽出装置１を説明するための斜視図であって、図１は抽出装置１の全体を示す斜視図、図２（ａ）、図２（ｂ）は、図１に示す抽出装置１のバイアル瓶保持部２０を拡大して示す図である。なお、本実施形態の抽出装置１は、バイアル瓶内の薬剤を抽出する機能を備えればよく、さらに抽出された薬剤を処理する他の機能を備えるものであってもよい。他の機能としては、例えば、抽出された薬剤を複数の容器に移す（分注する）機能、他の薬剤と混合する機能、被術者に投与する機能等がある。
抽出装置１は、弾性アダプタ３がセットされる薬剤の抽出装置であって、弾性アダプタが収容される収容部であるバイアル瓶保持部２０と、弾性アダプタ３と共にバイアル瓶保持部２０に収容されたバイアル瓶４（図２（ｂ））に対して上方から下方に向かう力を加え、バイアル瓶４をバイアル瓶保持部２０内に固定する押え部１８と、を備えている。
【００１２】
より詳細には、図１に示すように、抽出装置１は、本体１１と、本体１１に固定され、本体１１よりも上方に向かって延びる柱状部１２とを有している。また、抽出装置１は、弾性アダプタ３が保持されるバイアル瓶保持部２０と、弾性アダプタ３から製剤を抽出するための抽出器１５が取り付けられて、バイアル瓶保持部２０の上方において上下動する抽出器ホルダ１４と、抽出器ホルダの動作を制御する図示しない制御部への情報の入力を受け付ける入力受付部１９と、を備えている。入力受付部１９は、製剤に関する製剤情報の入力を受け付けて、制御部が製剤情報に基づいて抽出器ホルダ１４の下降位置を決定する。
【００１３】
上記構成のうち、バイアル瓶保持部２０、入力受付部１９及び制御部は、本体１１の側に設けられている。抽出器ホルダ１４は、柱状部１２に設けられている。ここで、「バイアル瓶保持部２０の上方」とは、バイアル瓶保持部２０の直上ばかりでなく、バイアル瓶保持部２０の斜め上も含む。上下動は、上昇及び下降することを指す。
抽出器１５は、シリンジ１５１と、その一部がシリンジ内部で移動するプランジャ１５２と、シリンジ１５１に取り付けられる針体１５３とを有している。プランジャ１５２の一部は、外面とシリンジ１５１の内面とを接触させながら摺動し、シリンジ１５１との間に生じる空間の体積を変化させている。体積が変化することにより、抽出器１５は内部に製剤を吸入し、内部から製剤を吐出する。
【００１４】
抽出器ホルダ１４は、シリンジ１５１の表面と接触する主接触面１４２と、主接触面の左右の端部からシリンジ１５１と接触する側方接触部１４１とを有し、主接触面１４２及び二つの側方接触部１４１により三方からシリンジ１５１を保持している。柱状部１２は、間隔１２２を隔てて配置される二つの柱状部分１２１により構成され、抽出器ホルダ１４は、二つの柱状部分１２１の間に設けられるスライド部１３に固定されている。スライド部１３は、柱状部分１２１、１２１の間をスライドしながら上下動する。スライド部１３の上下動は、図示しない例えばステッピングモータ等の回転を直線方向の運動に変換する駆動部によって行われている。
【００１５】
さらに、スライド部１３には、プランジャ１５２を移動させるプランジャ移動部１３１が設けられている。プランジャ移動部１３１は、プランジャ１５２を把持部１５４で把持し、上下動してプランジャ１５２を移動させる。このとき、シリンジ１５１は固定されているから、プランジャ１５２はシリンジ１５１に対して相対的に移動する。なお、プランジャ移動部１３１は、スライド部１３と同様に、図示しないステッピングモータ等回転を直線運動に変換する駆動部によりプランジャ１５２を上下動している。
シリンジ１５１に取り付けられる針体１５３は、スライド部１３の上下動に伴って上下動し、下降する過程でバイアル瓶４の蓋体に穿刺される。バイアル瓶４内の薬剤は、プランジャ１５２が上昇することによってバイアル瓶４からシリンジ１５１内に抽出される。薬剤の抽出後、針体１５３は、スライド部１３の上昇に伴って上昇し、バイアル瓶４から抜取られる。
【００１６】
図２（ａ）は、弾性アダプタ３が無い状態の容器トレー２２を、図２（ｂ）は、弾性アダプタ３がセットされた状態の容器トレー２２を示している。図２（ａ）、図２（ｂ）は、容器トレー２２にセットされる弾性アダプタ３の状態を説明するための図である。
図２（ａ）に示すように、容器トレー２２は、トレーホルダ２４に対して図中に示す矢線Ａの方向にスライドして取り外されて、矢線Ｂの方向にスライドしてセットされる。図２（ａ）は、容器トレー２２が弾性アダプタ３に針体１５３が穿刺される位置（以下、「穿刺」位置と記す）から取り外される過程を示している。また、図２（ｂ）は、容器トレー２２が穿刺位置にセットされる過程を示している。
【００１７】
本実施形態のバイアル瓶保持部２０は、本体１１の上面に形成されたトレーホルダ２４と、トレーホルダ２４に収容される容器トレー２２とによって構成される。容器トレー２２には、弾性アダプタ３がセットされるセット凹部２２ａと、容器トレー２２を手動で引き出すときに指を掛ける指掛け凹部２２ｂとが形成されている。
また、バイアル瓶保持部２０の図示しない底面は、矢線Ａが示す方向に沿って高くなる斜面であって、収容された弾性アダプタ３が図２（ｂ）に示すように傾斜する。弾性アダプタ３が傾斜することにより、弾性アダプタ３内のバイアル瓶４は矢線Ｂが示す方向に傾斜する。
このような構成によれば、バイアル瓶４の底部の最下点において薬剤の深さが最も深くなる。薬剤が抽出される過程においてバイアル瓶４内の薬剤の液量が減少し、薬剤は全て抽出される直前で最下点を含む所定の範囲にのみ貯留する。本実施形態では、針体１５３の穿刺位置を最下点の直上に設定しているので、バイアル瓶４内に残ったわずかな薬剤を効率よく抽出し、抽出後のバイアル瓶４における薬剤の残量を低減することができる。
【００１８】
押え部１８は、セット凹部２２ａの上方であって、かつ針体１５３の周囲に設けられている。押え部１８は、支持部１８ｂを支点にして手動操作により引き上げ、押し下げ可能である。また、押え部１８の二つの爪１８ａは、弾性アダプタ３に収容されているバイアル瓶４の首部４３（図４）の直径と略同一の長さを隔てて形成されている。抽出装置１の操作者は、図２（ａ）、図２（ｂ）に示す状態においては押え部１８を引き上げて容器トレー２２を矢線Ａの方向にスライドして弾性アダプタ３及びバイアル瓶４をセットする。そして、弾性アダプタ３及びバイアル瓶４がセットされた容器トレー２２を矢線Ｂの方向にスライドさせ、押え部１８を押し下げて二つの爪１８ａ下にキャップ４２部が中心となるようにセットする。このような構成により、本実施形態の抽出装置１は、押え部１８がバイアル瓶４に対して下方に向かう力を加えることができる。
【００１９】
［弾性アダプタ］
図３は、本実施形態の弾性アダプタ３の斜視図である。図４は、弾性アダプタ３の分解斜視図である。図５は図３に示す弾性アダプタ３の正面図であり、図６は上面図、図７は底面図である。図８は、図６に示す線分VIII-VIIIで弾性アダプタ３を切断し、この断面を矢線の方向から見た縦断面図である。
図３に示すように、弾性アダプタ３は、底部３３（図４）と側壁部３２１とを有する収容部３２と、底部３３に当接し、底部３３の上面３３ｂ（図５）と交差する方向に加わる力によって弾性的に圧縮されて、かつ力の解除によって回復する底弾性体３３２と、側壁部３２１の周回方向に形成されて、収容部３２の径方向に弾性的に変形及び復元可能な周弾性体３１と、を含んでいる。
なお、収容部３２の「径方向」は、側壁部３２１の径ｒ（図６）と一致する方向と、径ｒの方向の成分を含む方向とを含んでいる。
【００２０】
側壁部３２１は、筒状の円筒形であり、円筒形内部の空洞部３２０に図４に示すバイアル瓶４が収容される。収容部３２の一方の端部は平面３２６と、平面３２６の外側の斜面３２７を有している。周弾性体３１は、空洞部３２０において収容部３２と係合する縁部３１３ａを含む枠体３１３（図４）と、側壁部３２１の内面から径方向に向かって湾曲しながら突出する弾性片３１２とを有している。
【００２１】
このような周弾性体３１は、適当な弾性力を有する部材で形成されていて、空洞部３２０に収容されるバイアル瓶４に押されて傾きを変えると共に、バイアル瓶４に対して複数の径方向から均一に力を加えることができる。
上記構成により、バイアル瓶４は、径方向の大きさによらず空洞部３２０において一定の位置に収容されるようになる。
【００２２】
図４に示すように、弾性アダプタ３は、周弾性体３１と、収容部３２及び底部３３により構成されていて、周弾性体３１と共にバイアル瓶４が収容部３２に収容されている。バイアル瓶４は、ホウケイ酸ガラス等のガラスを材料にする管瓶である。バイアル瓶４は、本体４１と、本体４１の開口部（図示せず）を覆うキャップ４２とによって構成される。本体４１と開口部との間の部分は本体４１よりも細くなっていて、この部分を以降首部４３と記す。開口部の周縁は、首部４３よりも大きい径を有している。二つの爪１８ａは、開口部に接するようにして本体４１を押えている。
【００２３】
また、キャップ４２は、クリンプトップ形状になっている開口部に差し込まれるゴム栓（図示せず）と、ゴム栓に被せられるアルミシール（図示せず）とによって構成されている。キャップ４２は、自動巻締機、あるいはハンドクリッパーを使って開口部の周縁にアルミシールを稼締めることによって開口部を密封している。このようなキャップ４２は、針体１５３の穿刺後の抜き取りの際に針体１５３に対して比較的強い抗力を生じ、針体１５３が上方に向かう力をバイアル瓶４に伝えることになる。しかし、本実施形態は、先に説明したように、二つの爪１８ａが開口部上で本体４１を押えているため、針体１５３を抜取る際にもバイアル瓶４がセット凹部２２ａから浮き上がることがない。
【００２４】
さらに、図４に示すバイアル瓶４は、本体４１にラベル４４が貼り付けられていて、ラベル４４にはバーコード４４ａが付されている。バーコード４４ａは、バイアル瓶４に収容されている薬剤に関する情報が付されていている。薬剤に関する情報とは、例えば、薬剤の製品コードや消費期限、分量等を含む情報であってもよい。バーコード４４ａの付与により、抽出装置１は、カメラ９４（図２）によってバーコードを読み取って、薬剤の抽出量や残量の管理に利用することができる。なお、バーコード４４ａを読取るように構成する場合、弾性アダプタ３の少なくとも周弾性体３１、側壁部３２１は透明な材料で構成することが必要になる。
以下、周弾性体３１、側壁部３２１及び底部３３及び底弾性体３３２について、図３から図８を用いて順に説明する。
【００２５】
（周弾性体）
周弾性体３１は、図４、図６に示すように、枠体３１３を有している。枠体３１３は、筒体３１３ｂと、筒体３１３ｂの端部に一体的に形成された縁部３１３ａとを有している。筒体３１３ｂの外面３１３ｃは縁部３１３ａの外径よりも小径で、縁部３１３ａは筒体３１３ｂよりも外方に突出している。枠体３１３の内面３１３ｄは縁部３１３ａの内径と同径で、縁部３１３ａの内面と内面３１３ｄとは面一になっている。
本実施形態の枠体３１３は、全体が略筒形状を有していて、上面視において円形状を有している（図６）。しかし、枠体３１３は、このような構成に限定されるものでなく、上面視が多角形や楕円形のものであってもよい。枠体が上面視において多角形や楕円形である場合、枠体の径は、枠体の上面視の中心を通り、かつ枠体の縁部と交差する二点間の間の直線をいう。
【００２６】
また、周弾性体３１は、枠体３１３の内面３１３ｄから突出し、内面に対して略均一の角度をなすように変位する複数の弾性片３１２を含む。ここで、略均一とは、針体１５３を下降させた場合に針体１５３の穿刺位置が穿刺可能な範囲から外れない程度に均一であることをいう。このように構成するため、本実施形態は、複数の弾性片３１２の長さ、肉厚、材料（ヤング率）を一様にする。弾性片３１２は、例えば樹脂材料によって枠体３１３と一体成型され、挿入されたバイアル瓶４の外径に合わせて均等に傾くと共に撓ることが望ましい。樹脂材料としては、例えば、ポリカーボネート、ポリアミド、ポリエチレン、ポリプロピレン、ポリ塩化ビニル等が適用できる。
ただし、本実施形態は、弾性片３１２が上記の条件を満たす前提で、周弾性体３１を樹脂により一体成型するものに限定されず、枠体３１３と弾性片３１２とを別体にし、組み合わせることによって周弾性体３１を構成するものであってもよい。
【００２７】
弾性片３１２は、上記のように、側壁部３２１の内面３１３ｄから径方向に向かって湾曲しながら突出している。湾曲は、弾性片３１２と内面３１３ｄとの接続する直線状の部分から、弾性片３１２の立ち上がりの接線方向よりもさらに空洞部３２０の中心に向かうように生じている。
【００２８】
複数の弾性片３１２は、全てが内面３１３ｄの一方の側に傾いている。このような側壁部３２１の状態は、バイアル瓶４が空洞部３２０に収容されている、いないに関わらず同様である。複数の弾性片３１２を全て内面３１３ｄの一方の側に傾けることにより、バイアル瓶４を弾性アダプタ３の収容部３２に回転させながら挿入する（捻じ込む）ことによってバイアル瓶４を弾性アダプタ３に容易にセットすることが可能になる。また、弾性片３１２は、図３、図４に示すように、バイアル瓶４の挿入方向の端部にＲが付くように加工されている。このような形状により、弾性アダプタ３は、いっそうバイアル瓶４を挿入し易いものとなる。
【００２９】
バイアル瓶４の挿入により、弾性片３１２は、前述の一方の側にいっそう大きく傾くように弾性変形する。弾性変形は弾性片３１２の先端が内面３１３ｄに向かう方向Ｄｒ（図６）に起こる。図６に示すように、方向Ｄｒは、径ｒの方向の成分を含んでいる。
図４、図６に示すように、本実施形態では、枠体３１３に弾性片３１２を８個設けているが、弾性片３１２の数は８個に限定されるものでなく、三個以上であればバイアル瓶４を一定の位置に固定することができる。バイアル瓶４の位置精度を高めるため、本実施形態は、弾性片３１２を三個以上設けると共に、弾性片３１２の長さ及び内面３１３ｄに対する角度を一定にし、その精度を高めている。
【００３０】
［収容部］
次に、収容部３２について説明する。図５、図６に示すように、収容部３２は、筒状の側壁部３２１を有し、側壁部３２１の外面３２１ａには段差がないが、内面には小径面３２１ｂと大径面３２２とがあって、小径面３２１ｂと大径面３２２との境界には段差３２４が生じている。上記の周弾性体３１は、段差３２４に枠体３１３が係り合って収容部３２の内部にセットされる。周弾性体３１の上端の上面は、平面３２６と、平面３２６の外側に形成される斜面３２７とを有している。上面の外側を斜面３２７にすることにより、収容部３２は、収容部３２の外側から周弾性体３１を収容部３２内に収容視し易くすることができる。
【００３１】
また、図５に示すように、小径面３２１ｂの下方には、壁側ネジ溝３２５が形成されている。壁側ネジ溝３２５は、後述するように、底部３３の側面３３ａに形成された台側ネジ溝３３５と螺合して、底弾性体３３２を上下動させるためのネジ溝である。本実施形態では、底部３３、壁側ネジ溝３２５及び台側ネジ溝３３５が、底弾性体３３２を側壁部３２１の立設方向に移動させる上下動部として機能する。なお、底弾性体３３２の上下動については後述する。
【００３２】
［底弾性体］
底弾性体３３２は、底部３３に当接し、底部３３の上面３３ｂと交差する方向Ｄｐ（図８）に加わる力によって弾性的に圧縮されて、かつ力の解除によって回復する底弾性体である。
底弾性体３３２としては、弾性高反発部材が適用できる。弾性高反発部材とは、例えば、反発弾性が５０％以上のものをいい、具体的にはポリオールとポリイソシアネートを主成分として発泡させた軟質ウレタンフォームによって形成される部材である。また、本実施形態の底弾性体３３２は、高反発部材に限定されるものでなく、中反発性部材、低反発部材であっても効果を得ることができる。
【００３３】
本実施形態の底部３３は、底弾性体３３２と共に、底弾性体３３２が取り付けられる基台であって、基台の側面３３ａに、側壁部３２１に形成された壁側ネジ溝３２５と互いに螺合する台側ネジ溝３３５を有している。底弾性体３３２は、壁側ネジ溝３２５と台側ネジ溝３３５とが螺合しながら底部３３が回転することによって側壁部の立設方向に移動する。例えば、底弾性体３３２は、底部３３が台側ネジ溝３３５と壁側ネジ溝３２５とを螺合させながら右ネジの方向に回転することによって空洞部３２０内を上昇する。反対に、底弾性体３３２は、底部３３が台側ネジ溝３３５と壁側ネジ溝３２５とを螺合させながら左ネジの方向に回転することによって空洞部３２０内を下降する。底部３３の回転は、例えば、手動によって行われる。
【００３４】
底部３３を手動により回転させるため、図７に示すように、弾性アダプタ３は、底部３３において底弾性体３３２が取り付けられている側とは反対の側である下面３３ｃに、底部３３を回転させるための摘み部３４を備えている。摘み部３４は、底部３３の下面３３ｃの外縁にその外縁が一致する円環部３４ａと、円環部３４ａの直径に沿って形成される径部３４ｂと、によって構成される。弾性アダプタ３の使用者は、径部３４ｂを指で摘んで回転させることにより、底部３３の外縁に回転方向の力を加えることができる。このような構成によれば、使用者は、比較的小さい力により底部３３を容易に回転させることができる。
【００３５】
次に、以上説明した弾性アダプタ３の動作を説明する。使用者は、バイアル瓶４を周弾性体３１内に挿入し、径部３４ｂを回転させてバイアル瓶４のキャップ４２の高さが収容部３２の高さよりわずかに高くなるように調整する。バイアル瓶４が収容された弾性アダプタ３を抽出装置１にセットすると、押え部１８がバイアル瓶４を上方から押える。このような動作により、バイアル瓶４の上方への移動が規制され、バイアル瓶４の底部は底弾性体３３２に圧接される。底弾性体３３２はバイアル瓶４の長さに応じて凹みながらもバイアル瓶４の底部分を押し上げるため、バイアル瓶４は、その長さに関わらず空洞部３２０の内部で上下方向に固定される。底弾性体３３２は、上記したように、軟質ウレタンフォーム等の弾性部材であるから、バイアル瓶４の本体４１を損なうことがなく、バイアル瓶４を適正な力で押し上げることができる。
【００３６】
図９（ａ）から図９（ｌ）は、上記動作と並行して起こる周弾性体３１の動作を説明するための図である。図９（ａ）、図９（ｂ）及び図９（ｃ）は、弾性アダプタ３にバイアル瓶４５を挿入した状態を示している。図９（ｄ）、図９（ｅ）及び図９（ｆ）は、弾性アダプタ３にバイアル瓶４６を挿入した状態を示している。図９（ｇ）、図９（ｈ）及び図９（ｉ）は、弾性アダプタ３にバイアル瓶４７を挿入した状態を示している。図９（ｊ）、図９（ｋ）及び図９（ｌ）は、弾性アダプタ３にバイアル瓶４８を挿入した状態を示している。バイアル瓶の径は、バイアル瓶４５、バイアル瓶４６、バイアル瓶４７、バイアル瓶４８の順に大きくなっている。また、バイアル瓶の高さは、バイアル瓶４５、バイアル瓶４６、バイアル瓶４７、バイアル瓶４８の順に高くなっている
【００３７】
図９(ａ)から図９（ｃ）はバイアル瓶４５を弾性アダプタ３に収容した状態を示し、図９(ｄ)から図９（ｆ）はバイアル瓶４６を弾性アダプタ３に収容した状態を示し、図９(ｇ)から図９（ｉ）はバイアル瓶４７を弾性アダプタ３に収容した状態を示し、図９(ｊ)から図９（ｌ）はバイアル瓶４８を弾性アダプタ３に収容した状態を示している。
また、図９（ａ）、図９（ｄ）、図９（ｇ）及び図９（ｊ）は、各バイアル瓶を収容した弾性アダプタ３の斜視図である。図９（ｂ）、図９（ｅ）、図９（ｈ）及び図９（ｋ）は、各バイアル瓶を収容した弾性アダプタ３の上面図である。図９（ｃ）、図９（ｆ）、図９（ｉ）及び図９（ｌ）は、各バイアル瓶を収容した弾性アダプタ３の側面図である。
【００３８】
バイアル瓶４５、４６、４７及びバイアル瓶４８のいずれを収容した場合にも、複数の弾性片３１２は、バイアル瓶の本体をそれぞれ均一の力で支持するようになる。このとき、複数の弾性片３１２は、バイアル瓶の径の長さに応じて全てが内面３１３ｄに対して等しい角度に傾くようになる。弾性片３１２と内面３１３ｄの一方との角度は、図９（ｂ）、図９（ｅ）、図９（ｈ）及び図９（ｋ）に示すように、バイアル瓶４５、４６、４７及びバイアル瓶４８の径が大きくなるに連れて小さくなる。バイアル瓶の径が大きくなるにしたがってバイアル瓶の空洞部３２０中の占有空間が大きくなり、弾性片３１２が大きく変形してバイアル瓶の占有空間が確保されるからである。
なお、上記した内面３１３ｄの一方は、内面３１３ｄのうち、弾性片３１２を境界にした両側の内面３１３ｄのうちの一方を指す。図９（ｂ）、図９（ｅ）、図９（ｈ）及び図９（ｋ）においては、二方の３１３ｄ（１）、３１３ｄ（２）のうち、弾性片３１２の傾き方向にある内面３１３ｄ（２）と弾性片３１２とがなす角度がバイアル瓶の径が大きくなるにしたがって小さくなる。
【００３９】
以上説明したように、本実施形態の弾性アダプタ３は、バイアル瓶の周方向ばかりでなく、高さ方向の寸法形状に依らずバイアル瓶を適正な抽出位置にセットすることができる。また、本実施形態は、このような構成を、手動で調整することができるので、弾性アダプタ３を簡易な構成とすることができる。さらに、本実施形態は、底弾性体３３２を備えるので、バイアル瓶４を上方から下方に向かって押えてもバイアル瓶４が破損することをなくし、また、その寸法形状に依らずバイアル瓶４が適度な圧力を持って押し返されてバイアル瓶４の位置が下がりすぎることを防ぐことができる。
【００４０】
なお、本実施形態は、上記の構成に限定されるものではない。例えば、周弾性体３１は、複数の弾性片３１２によって構成されるものでなく、バイアル瓶４の径方向の寸法形状に応じて弾性的に変形するものであればよい。このような構成としては、例えば、収容部の径方向に拡大、縮小するゴム部材やバネ部材や、圧縮されて径方向に均等に拡大する弾性部材が考えられる。
底弾性体３３２は、底弾性体３３２は樹脂製の反発部材に限定されず、板バネによってバイアル瓶４の底部に圧力を加えるものであってもよい。また、底部３３は、ネジ構造により上下動するものに限定されず、例えば、側壁部３２１に形成された溝と係合して摺動するものであってもよい。さらに、壁側ネジ溝３２５及び台側ネジ溝３３５は、底部３３を上下動するものに限定されず、平面上で回転してバイアル瓶４の角度を調整するものであってもよい。
【００４１】
上記実施形態は、以下の技術思想を包含するものである。
（１）底部と側壁部とを有する収容部と、前記底部に当接し、前記底部が有する上面と交差する方向に加わる力によって弾性的に圧縮されて、かつ前記力の解除によって回復する底弾性体と、前記側壁部の周回方向に形成されて、前記収容部の径方向に弾性的に変形及び復元可能な周弾性体と、を含む、弾性アダプタ。
（２）前記周弾性体は、枠体と、前記枠体の内面から突出し、前記内面に対して略均一の角度をなすように変位する複数の弾性片を含む、（１）の弾性アダプタ。
（３）複数の前記弾性片は、全てが前記内面の一方の側に傾いている、（２）の弾性アダプタ。
（４）前記底弾性体を前記側壁部の立設方向に移動させる上下動部をさらに備える、（１）から（３）のいずれか一つの弾性アダプタ。
（５）前記底部は前記底弾性体が取り付けられる基台であって、前記基台は、前記側壁部に形成された壁側ネジ溝と互いに螺合する台側ネジ溝を有し、前記壁側ネジ溝に前記台側ネジ溝を螺合させながら回転することによって前記側壁部の立設方向に移動する、（１）から（４）のいずれか一つの弾性アダプタ。
（６）前記底部は、前記底弾性体が取り付けられている側とは反対の側に、前記底部を回転させるための摘み部を備える、（１）から（５）のいずれか一つの弾性アダプタ。
（７）（１）から（６）のいずれか一つの弾性アダプタがセットされる薬剤の抽出装置であって、前記弾性アダプタが収容される収容部と、前記弾性アダプタと共に前記収容部に収容されたバイアル瓶に対して上方から下方に向かう力を加え、前記バイアル瓶を前記収容部内に固定する押え部と、を備える薬剤の抽出装置。
【符号の説明】
【００４２】
１・・・抽出装置
３・・・弾性アダプタ
４、４５、４６、４７、４８・・・バイアル瓶
１１・・・本体
１２・・・柱状部
１３・・・スライド部
１４・・・抽出器ホルダ
１５・・・抽出器
１８・・・押え部
１８ａ・・・爪
１８ｂ・・・支持部
１９・・・入力受付部
２０・・・バイアル瓶保持部
２２・・・容器トレー
２２ａ・・・セット凹部
２２ｂ・・・指掛け凹部
２４・・・トレーホルダ
３１・・・周弾性体
３２・・・収容部
３３・・・底部
３３ａ・・・側面
３３ｂ・・・上面
３３ｃ・・・下面
３４・・・摘み部
３４ａ・・・円環部
３４ｂ・・・径部
４１・・・本体
４２・・・キャップ
４３・・・首部
４４・・・ラベル
４４ａ・・・バーコード
１２１・・・柱状部分
１２２・・・間隔
１３１・・・プランジャ移動部
１４１・・・側方接触部
１４２・・・主接触面
１５１・・・シリンジ
１５２・・・プランジャ
１５３・・・針体
１５４・・・把持部
３１２・・・弾性片
３１３・・・枠体
３１３ａ・・・縁部
３１３ｂ・・・筒体
３１３ｃ・・・外面
３１３ｄ・・・内面
３２０・・・空洞部
３２１・・・側壁部
３２１ａ・・・外面
３２１ｂ・・・小径面
３２２・・・大径面
３２４・・・段差
３２５・・・壁側ネジ溝
３２６・・・平面
３２７・・・斜面
３３２・・・底弾性体
３３５・・・台側ネジ溝
【図１】
2020141722.tif 000003
【図２】
2020141722.tif 000004
【図３】
2020141722.tif 000005
【図４】
2020141722.tif 000006
【図５】
2020141722.tif 000007
【図６】
2020141722.tif 000008
【図７】
2020141722.tif 000009
【図８】
2020141722.tif 000010
【図９】
2020141722.tif 000011